(57)【特許請求の範囲】
【請求項１】
フィードバックキャンセルモジュールと、第１のデジタルプレディストータ（ＤＰＤ）と、電力増幅器（ＰＡ）と、制御スイッチとを備える送信機であって、
前記第１のＤＰＤおよび前記ＰＡが前記送信機の第１の送信チャネルの上に位置し、前記第１のＤＰＤが前記ＰＡに接続され、
前記フィードバックキャンセルモジュールおよび前記制御スイッチが前記送信機のフィードバックチャネルの上に位置し、前記制御スイッチが前記ＰＡに接続され、前記フィードバックキャンセルモジュールが、前記制御スイッチおよび前記第１のＤＰＤに別々に接続され、
前記フィードバックキャンセルモジュールは、第１の混合信号を得るために、フィードバックキャンセル信号に従って、前記フィードバックチャネルの信号に対して干渉キャンセルを実施し、前記第１の混合信号を前記第１のＤＰＤに送るように構成され、前記フィードバックキャンセル信号は、前記フィードバックチャネルが前記制御スイッチのステータスに応じてアイドル状態にあるとき収集されるフィードバック干渉信号に従って得られる信号であり、
前記第１のＤＰＤは、第１のプレディストーション信号を生成するために、前記第１の送信チャネルの上の第１のベースバンド信号および前記第１の混合信号に従って線形プレディストーション処理を実施するように構成され、
前記ＰＡは、送信予定の信号を増幅し、次いでアンテナを使用することによって前記送信予定の信号を送信するように構成され、前記送信予定の信号は、前記第１のプレディストーション信号または前記第１のプレディストーション信号に従って得られる信号であることを特徴とする送信機。
【請求項２】
前記制御スイッチのステータスは、前記ＰＡに接続されていることを含み、
前記フィードバックキャンセルモジュールは、前記制御スイッチが前記ＰＡに接続されているとき、前記フィードバックチャネルの前記信号を獲得し、前記第１の混合信号を得るために、前記フィードバックキャンセル信号に従って、前記フィードバックチャネルの前記信号に対して干渉キャンセルを実施し、前記第１の混合信号を前記第１のＤＰＤに送るように特に構成されることを特徴とする請求項１に記載の送信機。
【請求項３】
前記制御スイッチの前記ステータスは、接地状態またはフローティングをさらに含み、前記制御スイッチの前記ステータスが接地状態またはフローティングであるとき、前記フィードバックチャネルは前記アイドル状態にあり、
前記フィードバックキャンセルモジュールは、前記制御スイッチの前記ステータスが接地状態またはフローティングであるとき、前記フィードバックチャネルの前記フィードバック干渉信号を収集することによって前記フィードバックキャンセル信号を獲得するようにさらに構成されることを特徴とする請求項２に記載の送信機。
【請求項４】
前記制御スイッチの前記ステータスは、接地状態またはフローティングをさらに含み、前記制御スイッチの前記ステータスが接地状態またはフローティングであるとき、前記フィードバックチャネルは前記アイドル状態にあり、
前記第１のＤＰＤは、前記第１のプレディストーション信号を生成する前に、第２のプレディストーション信号を生成するために、前記第１の送信チャネルの上の前記第１のベースバンド信号に先行するベースバンド信号に対して線形プレディストーションを実施し、前記第２のプレディストーション信号を前記フィードバックキャンセルモジュールに送るようにさらに構成され、
前記フィードバックキャンセルモジュールは、前記制御スイッチの前記ステータスが接地状態またはフローティングであるとき、前記フィードバックチャネルの前記フィードバック干渉信号を収集し、前記第１のＤＰＤによって送られた前記第２のプレディストーション信号と前記フィードバック干渉信号との間の相関に従って第１のパラメータを獲得し、前記第１のパラメータおよび前記第２のプレディストーション信号に従って前記フィードバックキャンセル信号を獲得するようにさらに構成されることを特徴とする請求項２に記載の送信機。
【請求項５】
送信キャンセルモジュールをさらに備え、前記送信キャンセルモジュールは、前記第１の送信チャネルの上に位置し、前記第１のＤＰＤは、前記送信キャンセルモジュールを通じて前記ＰＡに接続され、
前記送信キャンセルモジュールは、前記送信予定の信号を得るために、第１の送信キャンセル信号に従って、前記第１のＤＰＤによって生成された第１のプレディストーション信号に対して干渉キャンセルを実施するように構成され、
前記第１の送信キャンセル信号は、前記第１の送信チャネルが前記送信機内の前記第１の送信チャネルを除く１または複数の他の送信チャネルによって干渉を受けたとき生成される干渉信号に従って得られる信号であることを特徴とする請求項１乃至４のいずれか一項に記載の送信機。
【請求項６】
前記送信キャンセルモジュールは前記フィードバックキャンセルモジュールに接続され、前記送信機は、第２のＤＰＤをさらに備え、前記第２のＤＰＤは、前記送信機の第２の送信チャネルの上に位置し、前記送信キャンセルモジュールに接続され、前記第２の送信チャネルは、前記送信機内の前記第１の送信チャネルを除く任意の送信チャネルであり、
前記フィードバックキャンセルモジュールは、前記第１の混合信号を前記送信キャンセルモジュールに送るようにさらに構成され、
前記第２のＤＰＤは、第２のベースバンド信号に従ってプレディストーション信号を生成し、前記プレディストーション信号を前記送信キャンセルモジュールに送るように構成され、前記第２のベースバンド信号は、前記第２の送信チャネルのベースバンド信号であり、
前記送信キャンセルモジュールは、前記第１の送信キャンセル信号に従って前記第１のプレディストーション信号に対して干渉キャンセルを実施する前に、前記フィードバックキャンセルモジュールによって送られた前記第１の混合信号と前記第２のＤＰＤによって生成された前記プレディストーション信号との間の相関に従って第２のパラメータを獲得し、前記第２のパラメータおよび前記第２のＤＰＤによって生成された前記プレディストーション信号に従って前記第１の送信キャンセル信号を獲得するように特に構成されることを特徴とする請求項５に記載の送信機。
【請求項７】
送信キャンセルモジュールをさらに備え、前記送信キャンセルモジュールは、前記第１の送信チャネルの上に位置し、前記送信キャンセルモジュールは、前記第１のＤＰＤを通じて前記ＰＡに接続され、
前記送信キャンセルモジュールは、前記第１のベースバンド信号を得るために、第２の送信キャンセル信号に従って、前記第１の送信チャネルの上の第３のベースバンド信号に対して干渉キャンセルを実施し、前記第１のベースバンド信号を前記第１のＤＰＤに送るように構成され、
前記第２の送信キャンセル信号は、前記第１の送信チャネルが前記送信機内の前記第１の送信チャネルを除く１または複数の他の送信チャネルによって干渉を受けたとき生成される干渉信号に従って得られる信号であることを特徴とする請求項１乃至４のいずれか一項に記載の送信機。
【請求項８】
前記送信キャンセルモジュールは、前記フィードバックキャンセルモジュールに接続され、
前記フィードバックキャンセルモジュールは、前記第１の混合信号を前記送信キャンセルモジュールに送るようにさらに構成され、
前記送信キャンセルモジュールは、前記第３のベースバンド信号に対して干渉キャンセルを実施する前に、前記フィードバックキャンセルモジュールによって送られた前記第１の混合信号と第２のベースバンド信号との間の相関に従って第３のパラメータを獲得し、前記第３のパラメータおよび前記第２のベースバンド信号に従って前記第２の送信キャンセル信号を獲得するようにさらに構成され、前記第２のベースバンド信号は、前記送信機内の第２の送信チャネルのベースバンド信号であり、前記第２の送信チャネルは、前記送信機内の前記第１の送信チャネルを除く任意の送信チャネルであることを特徴とする請求項７に記載の送信機。
【請求項９】
干渉キャンセル方法であって、
送信機内のフィードバックチャネルが前記フィードバックチャネルの上に位置する制御スイッチを通じて前記送信機内の第１の送信チャネルに接続されているとき、前記フィードバックチャネルの信号を獲得するステップと、
第１の混合信号を得るために、フィードバックキャンセル信号に従って、前記フィードバックチャネルの前記信号に対して干渉キャンセルを実施するステップであって、前記フィードバックキャンセル信号は、前記フィードバックチャネルが前記制御スイッチのステータスに応じてアイドル状態にあるとき収集されるフィードバック干渉信号に従って得られる信号である、ステップと、
第１のプレディストーション信号を生成するために、前記第１の送信チャネルの第１のベースバンド信号および前記第１の混合信号に従って線形プレディストーション処理を実施するステップと、
送信予定の信号を増幅し、次いでアンテナを使用することによって前記送信予定の信号を送信するステップであって、前記送信予定の信号は、前記第１のプレディストーション信号または前記第１のプレディストーション信号に従って得られる信号である、ステップと
を含むことを特徴とする方法。
【請求項１０】
フィードバックキャンセル信号に従って、前記フィードバックチャネルの前記信号に対して干渉キャンセルを実施する前記ステップの前に、
前記フィードバックチャネルが前記アイドル状態にあるとき、前記フィードバックチャネルの前記フィードバック干渉信号を収集することによって前記フィードバックキャンセル信号を獲得するステップをさらに含むことを特徴とする請求項９に記載の方法。
【請求項１１】
フィードバックキャンセル信号に従って、前記フィードバックチャネルの前記信号に対して干渉キャンセルを実施する前記ステップの前に、
前記フィードバックチャネルが前記アイドル状態にあるとき、前記フィードバックチャネルの前記フィードバック干渉信号を収集し、前記フィードバック干渉信号と第２のプレディストーション信号との間の相関に従って第１のパラメータを獲得するステップと、
前記第１のパラメータおよび前記第２のプレディストーション信号に従って前記フィードバックキャンセル信号を獲得するステップであって、前記第２のプレディストーション信号は、前記第１の送信チャネルの上の前記第１のベースバンド信号に先行するベースバンド信号に対して線形プレディストーションを実施することによって生成されるプレディストーション信号である、ステップと
をさらに含むことを特徴とする請求項９または１０に記載の方法。
【請求項１２】
前記アイドル状態は、前記制御スイッチのステータスがフローティングまたは接地状態を含むことを特徴とする請求項９乃至１１のいずれか一項に記載の方法。
【請求項１３】
送信予定の信号を増幅し、次いでアンテナを使用することによって前記信号を送信する前記ステップの前に、
前記送信予定の信号を得るために、第１の送信キャンセル信号に従って、前記第１のプレディストーション信号に対して干渉キャンセルを実施するステップをさらに含み、
前記第１の送信キャンセル信号は、前記第１の送信チャネルが前記送信機内の前記第１の送信チャネルを除く送信チャネルによって干渉を受けたとき生成される干渉信号に従って得られる信号であることを特徴とする請求項９乃至１２のいずれか一項に記載の方法。
【請求項１４】
前記第１の送信キャンセル信号に従って、前記第１のプレディストーション信号に対して干渉キャンセルを実施する前記ステップの前に、
前記第１の混合信号と第２の送信チャネル内で生成されたプレディストーション信号との間の相関に従って第２のパラメータを獲得するステップと、
前記第２のパラメータおよび前記第２の送信チャネル内で生成された前記プレディストーション信号に従って前記第１の送信キャンセル信号を獲得するステップとをさら含み、
前記第２の送信チャネルは、前記送信機内の前記第１の送信チャネルを除く任意の送信チャネルであることを特徴とする請求項１３に記載の方法。
【請求項１５】
前記第１の送信チャネルの第１のベースバンド信号および前記第１の混合信号に従って線形プレディストーション処理を実施する前記ステップの前に、
前記第１のベースバンド信号を得るために、第２の送信キャンセル信号に従って、前記第１の送信チャネルの上の第３のベースバンド信号に対して干渉キャンセルを実施するステップをさらに含み、第１の送信キャンセル信号は、前記第１の送信チャネルが前記送信機内の前記第１の送信チャネルを除く１または複数の他の送信チャネルによって干渉を受けたとき生成される干渉信号に従って得られる信号であることを特徴とする請求項９乃至１２のいずれか一項に記載の方法。
【請求項１６】
第２の送信キャンセル信号に従って、前記第１の送信チャネルの上の第３のベースバンド信号に対して干渉キャンセルを実施する前記ステップの前に、
前記第１の混合信号と第２のベースバンド信号との間の相関に従って第２のパラメータを獲得するステップと、
前記第２のパラメータおよび前記第２のベースバンド信号に従って前記第２の送信キャンセル信号を獲得するステップとをさらに含み、
第２の送信チャネルは、前記送信機内の前記第１の送信チャネルを除く任意の送信チャネルであり、前記第２のベースバンド信号は、前記第２の送信チャネルのベースバンド信号であることを特徴とする請求項１５に記載の方法。
【発明の詳細な説明】
【技術分野】
【０００１】
本発明の実施形態は、通信技術に関し、詳細には、送信機および干渉キャンセル方法に関する。
【背景技術】
【０００２】
リンクの送信性能および通信システムのスループットを改善するために、多入力多出力（Ｍｕｌｔｉｐｌｅ−Ｉｎｐｕｔ  Ｍｕｌｔｉｐｌｅ−Ｏｕｔｐｕｔ、略してＭＩＭＯ）技術が、ワイヤレス通信の分野における重要な技術の１つになっている。近年、ＭＩＭＯ技術が発展し続けるにつれて、ＭＩＭＯ技術は、様々なワイヤレス通信システムでより広く適用されることになる。
【０００３】
ＭＩＭＯ技術では、使用される送信機は、通常、複数の送信チャネルと、１つのフィードバックチャネルとを含む。送信機内の送信チャネルは、送信チャネル間の干渉を低減するように分離する、または物理的距離を増大するキャビティなど空間遮蔽式で分離される。しかし、送信チャネルの信号は、フィードバックチャネルに漏れることがある。すなわち、送信チャネル内の信号はフィードバックチャネルと干渉することがあり、フィードバックチャネル上の干渉信号は送信チャネルと干渉することがあり、それにより送信信号の歪みをもたらす。
【発明の概要】
【発明が解決しようとする課題】
【０００４】
本発明の実施形態は、送信信号の歪みが容易に引き起こされる従来技術の問題を解決するように、送信機、および干渉キャンセル方法を提供する。
【課題を解決するための手段】
【０００５】
第１の態様によれば、本発明の実施形態は、フィードバックキャンセルモジュールと、第１のデジタルプレディストータＤＰＤと、電力増幅器ＰＡとを含む送信機であって、第１のＤＰＤおよびＰＡが送信機の第１の送信チャネル上に位置し、第１のＤＰＤがＰＡに接続され、フィードバックキャンセルモジュールが送信機のフィードバックチャネル上に位置し、フィードバックキャンセルモジュールが、ＰＡおよび第１のＤＰＤに別々に接続され、
フィードバックキャンセルモジュールは、第１の混合信号を得るために、フィードバックキャンセル信号に従って、フィードバックチャネルの信号に対して干渉キャンセルを実施し、第１の混合信号を第１のＤＰＤに送るように構成され、
フィードバックキャンセル信号は、フィードバックチャネルがアイドル状態にあるとき収集されるフィードバック干渉信号に従って得られる信号であり、
第１のＤＰＤは、第１のプレディストーション信号を生成するために、第１の送信チャネル上の第１のベースバンド信号および第１の混合信号に従って線形プレディストーション処理を実施するように構成され、
ＰＡは、送信予定の信号を増幅し、次いでアンテナを使用することによって信号を送信するように構成され、送信予定の信号は、第１のプレディストーション信号または第１のプレディストーション信号に従って得られる信号である、送信機を提供する。
【０００６】
第１の態様によれば、第１の態様の第１の可能な実装法において、送信機は、制御スイッチをさらに含み、フィードバックキャンセルモジュールは、制御スイッチを通じてＰＡに接続され、制御スイッチのステータスは、ＰＡに接続されていることを含み、
フィードバックキャンセルモジュールは、制御スイッチがＰＡに接続されているとき、フィードバックチャネルの信号を獲得し、第１の混合信号を得るために、フィードバックキャンセル信号に従って、フィードバックチャネルの信号に対して干渉キャンセルを実施し、第１の混合信号を第１のＤＰＤに送るように特に構成される。
【０００７】
第１の態様の第１の可能な実装法によれば、第２の可能な実装法において、制御スイッチのステータスは、接地状態またはフローティングをさらに含み、制御スイッチのステータスが接地状態またはフローティングであるとき、フィードバックチャネルはアイドル状態にあり、
フィードバックキャンセルモジュールは、制御スイッチのステータスが接地状態またはフローティングであるとき、フィードバックチャネルのフィードバック干渉信号を収集することによってフィードバックキャンセル信号を獲得するようにさらに構成される。
【０００８】
第１の態様の第１の可能な実装法によれば、第３の可能な実装法において、制御スイッチのステータスは、接地状態またはフローティングをさらに含み、制御スイッチのステータスが接地状態またはフローティングであるとき、フィードバックチャネルはアイドル状態にあり、
第１のＤＰＤは、第１のプレディストーション信号を生成する前に、第２のプレディストーション信号を生成するために、第１の送信チャネル上の第１のベースバンド信号に先行するベースバンド信号に対して線形プレディストーションを実施し、第２のプレディストーション信号をフィードバックキャンセルモジュールに送るようにさらに構成され、
フィードバックキャンセルモジュールは、制御スイッチのステータスが接地状態またはフローティングであるとき、フィードバックチャネルのフィードバック干渉信号を収集し、第１のＤＰＤによって送られた第２のプレディストーション信号とフィードバック干渉信号との間の相関に従って第１のパラメータを獲得し、第１のパラメータおよび第２のプレディストーション信号に従ってフィードバックキャンセル信号を獲得するようにさらに構成される。
【０００９】
第１の態様から第１の態様の第３の可能な実装法によれば、第４の可能な実装法において、送信機は、送信キャンセルモジュールをさらに含み、送信キャンセルモジュールは、第１の送信チャネル上に位置し、第１のＤＰＤは、送信キャンセルモジュールを通じてＰＡに接続され、
送信キャンセルモジュールは、送信予定の信号を得るために、第１の送信キャンセル信号に従って、第１のＤＰＤによって生成された第１のプレディストーション信号に対して干渉キャンセルを実施するように構成され、
第１の送信キャンセル信号は、第１の送信チャネルが送信機内の第１の送信チャネルを除く１または複数の他の送信チャネルによって干渉を受けたとき生成される干渉信号に従って得られる信号である。
【００１０】
第１の態様の第４の可能な実装法によれば、第５の可能な実装法において、送信キャンセルモジュールはフィードバックキャンセルモジュールに接続され、送信機は、第２のＤＰＤをさらに含み、第２のＤＰＤは、送信機の第２の送信チャネル上に位置し、送信キャンセルモジュールに接続され、第２の送信チャネルは、送信機内の第１の送信チャネルを除く任意の送信チャネルであり、
フィードバックキャンセルモジュールは、第１の混合信号を送信キャンセルモジュールに送るようにさらに構成され、
第２のＤＰＤは、第２のベースバンド信号に従ってプレディストーション信号を生成し、プレディストーション信号を送信キャンセルモジュールに送るように構成され、第２のベースバンド信号は、第２の送信チャネルのベースバンド信号であり、
送信キャンセルモジュールは、第１の送信キャンセル信号に従って第１のプレディストーション信号に対して干渉キャンセルを実施する前に、フィードバックキャンセルモジュールによって送られた第１の混合信号と第２のＤＰＤによって生成されたプレディストーション信号との間の相関に従って第２のパラメータを獲得し、第２のパラメータおよび第２のＤＰＤによって生成されたプレディストーション信号に従って第１の送信キャンセル信号を獲得するように特に構成される。
【００１１】
第１の態様から第１の態様の第４の可能な実装法のいずれか１つによれば、第６の可能な実装法において、送信機は、送信キャンセルモジュールをさらに含み、送信キャンセルモジュールは、第１の送信チャネル上に位置し、送信キャンセルモジュールは、第１のＤＰＤを通じてＰＡに接続され、
送信キャンセルモジュールは、第１のベースバンド信号を得るために、第２の送信キャンセル信号に従って、第１の送信チャネル上の第３のベースバンド信号に対して干渉キャンセルを実施し、第１のベースバンド信号を第１のＤＰＤに送るように構成され、
第２の送信キャンセル信号は、第１の送信チャネルが送信機内の第１の送信チャネルを除く１または複数の他の送信チャネルによって干渉を受けたとき生成される干渉信号に従って得られる信号である。
【００１２】
第１の態様の第６の可能な実装法によれば、第７の可能な実装法において、送信キャンセルモジュールは、フィードバックキャンセルモジュールに接続され、
フィードバックキャンセルモジュールは、第１の混合信号を送信キャンセルモジュールに送るようにさらに構成され、
送信キャンセルモジュールは、第３のベースバンド信号に対して干渉キャンセルを実施する前に、フィードバックキャンセルモジュールによって送られた第１の混合信号と第２のベースバンド信号との間の相関に従って第３のパラメータを獲得し、第３のパラメータおよび第２のベースバンド信号に従って第２の送信キャンセル信号を獲得するようにさらに構成され、第２のベースバンド信号は、送信機内の第２の送信チャネルのベースバンド信号であり、第２の送信チャネルは、送信機内の第１の送信チャネルを除く任意の送信チャネルである。
【００１３】
第２の態様によれば、本発明の実施形態は、干渉キャンセル方法であって、
送信機内のフィードバックチャネルが送信機内の第１の送信チャネルに接続されているとき、フィードバックチャネルの信号を獲得するステップと、
第１の混合信号を得るために、フィードバックキャンセル信号に従って、フィードバックチャネルの信号に対して干渉キャンセルを実施するステップであって、フィードバックキャンセル信号は、フィードバックチャネルがアイドル状態にあるとき収集されるフィードバック干渉信号に従って得られる信号である、ステップと、
第１のプレディストーション信号を生成するために、第１の送信チャネルの第１のベースバンド信号および第１の混合信号に従って線形プレディストーション処理を実施するステップと、
送信予定の信号を増幅し、次いでアンテナを使用することによって信号を送信するステップであって、送信予定の信号は、第１のプレディストーション信号または第１のプレディストーション信号に従って得られる信号である、ステップとを含む方法をさらに提供する。
【００１４】
第２の態様によれば、第２の態様の第１の可能な実装法において、フィードバックキャンセル信号に従って、フィードバックチャネルの信号に対して干渉キャンセルを実施するステップの前に、方法は、
フィードバックチャネルがアイドル状態にあるとき、フィードバックチャネルのフィードバック干渉信号を収集することによってフィードバックキャンセル信号を獲得するステップをさらに含む。
【００１５】
第２の態様または第２の態様の第１の可能な実装法によれば、第２の態様の第２の可能な実装法において、フィードバックキャンセル信号に従って、フィードバックチャネルの信号に対して干渉キャンセルを実施するステップの前に、方法は、
フィードバックチャネルがアイドル状態にあるとき、フィードバックチャネルのフィードバック干渉信号を収集し、フィードバック干渉信号と第２のプレディストーション信号との間の相関に従って第１のパラメータを獲得するステップと、
第１のパラメータおよび第２のプレディストーション信号に従ってフィードバックキャンセル信号を獲得するステップであって、第２のプレディストーション信号は、第１の送信チャネル上で送信された第１のベースバンド信号に先行するベースバンド信号に対して線形プレディストーションを実施することによって生成されるプレディストーション信号である、ステップとをさらに含む。
【００１６】
第２の態様から第２の態様の第２の可能な実装法のいずれか１つによれば、第３の可能な実装法において、アイドル状態は、フローティングまたは接地状態を含む。
【００１７】
第２の態様から第２の態様の第３の可能な実装法のいずれか１つによれば、第４の可能な実装法において、送信予定の信号を増幅し、次いでアンテナを使用することによって信号を送信するステップの前に、方法は、
送信予定の信号を得るために、第１の送信キャンセル信号に従って、第１のプレディストーション信号に対して干渉キャンセルを実施するステップをさらに含み、
第１の送信キャンセル信号は、第１の送信チャネルが送信機内の第１の送信チャネルを除く送信チャネルによって干渉を受けたとき生成される干渉信号に従って得られる信号である。
【００１８】
第２の態様の第４の可能な実装法によれば、第５の可能な実装法において、
第１の送信キャンセル信号に従って、第１のプレディストーション信号に対して干渉キャンセルを実施するステップの前に、方法は、
第１の混合信号と第２の送信チャネル内で生成されたプレディストーション信号との間の相関に従って第２のパラメータを獲得するステップと、
第２のパラメータおよび第２の送信チャネル内で生成されたプレディストーション信号に従って第１の送信キャンセル信号を獲得するステップとをさら含み、
第２の送信チャネルは、送信機内の第１の送信チャネルを除く任意の送信チャネルである。
【００１９】
第２の態様から第２の態様の第３の可能な実装法のいずれか１つによれば、第６の可能な実装法において、第１の送信チャネルの第１のベースバンド信号および第１の混合信号に従って線形プレディストーション処理を実施するステップの前に、方法は、
第１のベースバンド信号を得るために、第２の送信キャンセル信号に従って、第１の送信チャネル上の第３のベースバンド信号に対して干渉キャンセルを実施するステップをさらに含み、第２の送信キャンセル信号は、第１の送信チャネルが第１の送信チャネルを除く１または複数の他の送信チャネルによって干渉を受けたとき生成される干渉信号に従って得られる信号である。
【００２０】
第２の態様の第６の可能な実装法によれば、第７の可能な実装法において、第２の送信キャンセル信号に従って、第１の送信チャネル上の第３のベースバンド信号に対して干渉キャンセルを実施するステップの前に、方法は、
第１の混合信号と第２のベースバンド信号との間の相関に従って第２のパラメータを獲得するステップと、
第２のパラメータおよび第２のベースバンド信号に従って第２の送信キャンセル信号を獲得するステップとをさらに含み、
第２の送信チャネルは、送信機内の第１の送信チャネルを除く任意の送信チャネルであり、第２のベースバンド信号は、第２の送信チャネルのベースバンド信号である。
【００２１】
本発明の実施形態において提供される送信機および干渉キャンセル方法では、第１のＤＰＤが線形プレディストーション処理を実施する前に、フィードバックキャンセルモジュールが使用され、フィードバックキャンセル信号に従ってフィードバックチャネルの信号に対して干渉キャンセルを実施する。なぜなら、フィードバックキャンセル信号は、フィードバック干渉信号に従って得られる信号であり、その結果、第１の送信チャネルがフィードバックチャネルに漏れる干渉信号がキャンセルされ、それにより、フィードバック干渉信号が第１の送信チャネルと干渉することを回避し、第１の送信チャネル上の送信信号の歪みを低減するからである。
【図面の簡単な説明】
【００２２】
本発明の実施形態における、または従来技術における技術的解決策についてより明確に述べるために、以下、それらの実施形態または従来技術について述べるために必要とされる添付の図面を簡単に紹介する。明らかに、以下の説明における添付の図面は、本発明の一部の実施形態を示すにすぎず、当業者なら、これらの添付の図面から、創造的努力なしに他の図面を依然として導出することがあり得る。
【００２３】
【図１】本発明の実施形態１による送信機の概略構造図である。
【図２】本発明の実施形態２による別の送信機の概略構造図である。
【図３】本発明の実施形態３による別の送信機の概略構造図である。
【図４】本発明の実施形態４による別の送信機の概略構造図である。
【図５】本発明の実施形態５による干渉キャンセル方法の流れ図である。
【図６】本発明の実施形態５による別の干渉キャンセル方法の流れ図である。
【図７】本発明の実施形態６による別の送信機の概略構造図である。
【図８】本発明の実施形態６による別の干渉キャンセル方法の流れ図である。
【図９】本発明の実施形態７による別の送信機の概略構造図である。
【図１０】本発明の実施形態７による別の干渉キャンセル方法の流れ図である。
【発明を実施するための形態】
【００２４】
本発明の実施形態の目的、技術的解決策、および利点をより明確にするために、以下、本発明の実施形態における添付の図面を参照して、本発明の実施形態における技術的解決策について明確かつ完全に述べる。明らかに、記載の実施形態は、本発明の実施形態の一部にすぎず、すべてではない。創造的努力なしに本発明の実施形態に基づいて当業者によって得られるすべての他の実施形態が、本発明の保護範囲内に入るものとする。
【００２５】
本発明の実施形態では、送信機は、ネットワークデバイスまたはユーザ機器の送信機であってよい。送信機は、少なくとも１つの送信チャネルと、少なくとも１つのフィードバックチャネルとを含む。フィードバックチャネルは、特に、送信チャネルの入力端と出力端の間の有線接続によって形成される送信チャネルであってよく、送信チャネルに対応するフィードバック信号を送信するために使用される。
【００２６】
図１は、本発明の実施形態１による送信機の概略構造図である。送信機１００は、フィードバックキャンセルモジュール１０１と、第１のデジタルプレディストータ（Ｄｉｇｉｔａｌ  Ｐｒｅｄｉｓｔｏｒｔｅｒ、略してＤＰＤ）１０２と、電力増幅器（Ｐｏｗｅｒ  Ａｍｐｌｉｆｉｅｒ、略してＰＡ）１０３とを含む。第１のＤＰＤ１０２およびＰＡ１０３は、送信機１００の第１の送信チャネルＴＸ１上に位置し、第１のＤＰＤ１０２は、ＰＡ１０３に接続される。
【００２７】
フィードバックキャンセルモジュール１０１は、送信機１００のフィードバックチャネル上に位置し、フィードバックキャンセルモジュール１０１は、ＰＡ１０３および第１のＤＰＤ１０２に別々に接続される。
【００２８】
フィードバックキャンセルモジュール１０１は、第１の固定信号を得るために、フィードバックキャンセル信号に従って、フィードバックチャネルの信号に対して干渉キャンセルを実施し、第１の混合信号を第１のＤＰＤ１０２に出力するように構成される。フィードバックキャンセル信号は、フィードバックチャネルがアイドル状態にあるとき収集されるフィードバック干渉信号に従って得られる信号である。
【００２９】
第１のＤＰＤ１０２は、第１のプレディストーション信号を生成するために、第１の送信チャネルの第１のベースバンド信号および第１の混合信号に従って線形プレディストーション処理を実施するように構成される。
【００３０】
ＰＡ１０３は、送信予定の信号を増幅し、次いでアンテナを使用することによって信号を送信するように構成され、送信予定の信号は、第１のプレディストーション信号または第１のプレディストーション信号に従って得られる信号である。
【００３１】
具体的には、送信機は、１または複数の送信チャネルを含む。送信機内の各送信チャネルのための処理原理は同じであるため、説明を簡単にするために、以下、送信機内の第１の送信チャネルのための干渉キャンセルだけについて述べる。
【００３２】
ワイヤレス通信システムでは、信号送信要件を満たすために、電力は、対応する信号電力値に達するようにＰＡ１０３によって増幅されることを必要とする。しかし、信号のための電力増幅は、通常、ＰＡ１０３の非線形領域で実施される。非線形領域の非線形性は、振幅歪みおよび位相振幅によって引き起こされる高調波歪み、相互変調歪みなど歪み産物を生成する。したがって、送信チャネル内の電力増幅によって引き起こされる非線形歪みを回避するために、通常、ＰＡ１０３によって出力される信号が第１のＤＰＤ１０２にフィードバックされ、第１のＤＰＤ１０２は、プレディストーション技術を使用することによって線形補償を実施する。
【００３３】
任意選択で、ＰＡ１０３が電力増幅を実施した信号は大電力を有するので、ＰＡ１０３によって出力される信号をフィードバックチャネルに結合しフィードバックチャネルの信号電力を低減するようにカプラが配置されることがあり、それにより、フィードバックキャンセルモジュールの信号処理強度を低減し、処理速度を改善する。
【００３４】
任意選択で、通常の場合、ＰＡ１０３は、アナログ信号に対して電力増幅の操作を実施し、第１のＤＰＤ１０２は、デジタル信号に対して線形最適化処理を実施する。さらに、送信機１００では、フィードバックチャネルは、アナログデジタルコンバータ（ａｎａｌｏｇ  ｔｏ  ｄｉｇｉｔａｌ  ｃｏｎｖｅｒｔｅｒ、略してＡＤＣ）をさらに含むことがある。第１のＤＰＤ１０２およびＰＡ１０３は、デジタルアナログコンバータ（ｄｉｇｉｔａｌ  ｔｏ  ａｎａｌｏｇ  ｃｏｎｖｅｒｔｅｒ、ＤＡＣ）を通じて接続される。
【００３５】
具体的には、ＡＤＣは、３つの異なる形態でフィードバックチャネル内に存在し得る。第１の形態では、ＡＤＣは、ソフトウェアまたはハードウェアの形態でフィードバックキャンセルモジュール１０１内で一体化されることがあり、第２の形態では、ＡＤＣは、フィードバックキャンセルモジュール１０１とは独立し、ＰＡ１０３とフィードバックキャンセルモジュール１０１の間に位置することがあり、第３の形態では、ＡＤＣは、フィードバックキャンセルモジュール１０１とは独立し、フィードバックキャンセルモジュール１０１と第１のＤＰＤ１０２の間に位置してもまたよい。第１の形態および第２の形態のＡＤＣの場合、アナログデジタル変換は、フィードバックキャンセルモジュール１０１がデジタル信号について干渉キャンセルを実施するように、ＰＡ１０３によって出力される信号に対して実施され得る。第１の形態および第２の形態のＡＤＣは、ＡＤＣの特定の場所が異なるにすぎない。
【００３６】
第３の形態のＡＤＣの場合、アナログデジタル変換は、フィードバックキャンセルモジュール１０１がフィードバック干渉キャンセルを実施した信号に対して実施され得る。すなわち、フィードバックキャンセルモジュール１０１は、アナログ信号のための処理を実施し、処理後、アナログ信号をデジタル信号に変換してもまたよい。
【００３７】
アナログ信号の処理および送信プロセスのために、２次干渉信号が容易に生成されることに留意されたい。したがって、本発明のこの実施形態では、フィードバックキャンセルモジュール１０１は、デジタル信号のための処理を実施してもよく、すなわち、フィードバックチャネル上で、フィードバックキャンセルモジュール１０１およびＰＡ１０３は、ＡＤＣを通じて特に接続され得る。
【００３８】
フィードバックチャネルの信号は、第１の送信チャネルに対応するフィードバック信号と、フィードバックチャネルが第１の送信チャネルによって干渉を受けたとき生成される干渉信号とを含むことがあり、フィードバックチャネルが送信機内の第１の送信チャネルを除く１または複数の他の送信チャネルによって干渉を受けたとき生成される干渉信号をさらに含むことがある。すなわち、この場合、フィードバックチャネルの信号は、様々な信号を含む混合信号である。第１の送信チャネルに対応するフィードバック信号は、第１の送信チャネル上で電力増幅器によって出力され、次いでフィードバックチャネルにフィードバックされる信号、たとえばフィードバックチャネルに結合される信号を指すことに留意されたい。
【００３９】
フィードバックキャンセル信号は、フィードバックチャネルがアイドル状態にあるとき収集されるフィードバック干渉信号に従って得られる信号であってよい。たとえば、フィードバックチャネルが第１の送信チャネルだけに対応すると仮定すると、フィードバックチャネルがアイドル状態にあるとき、第１の送信チャネルに対応するフィードバック信号はフィードバックチャネル上に存在せず、フィードバックチャネル上の信号は、第１の送信チャネルに対応するフィードバック信号を除く干渉信号であり、したがって、フィードバック干渉信号は、フィードバックチャネルがアイドル状態にあるとき収集される干渉信号に従って得られ得る。
【００４０】
フィードバックチャネルがアイドル状態にあることは、フィードバックチャネルを送信チャネルから切断すること、またはフィードバックチャネルを接地することによって実施されてもよく、これは、本明細書において限定されない。
【００４１】
具体的には、フィードバックキャンセル信号は、直接、フィードバック干渉信号であっても、フィードバック干渉信号の逆信号であってもよい。さらに、フィードバック干渉信号は、アナログ信号であってもよく、またはフィードバックキャンセル信号は、フィードバック干渉信号に従って生成されたデジタル信号であってもよい。フィードバックキャンセル信号がフィードバック干渉信号である場合、フィードバックキャンセルモジュール１０１は、フィードバックキャンセル信号に従って、フィードバックチャネルの信号に対して干渉キャンセルを実施する。具体的には、フィードバックチャネルが第１の送信チャネルのＰＡ１０３に接続されているとき、フィードバックチャネルの信号に対して信号分解が実施され、第１の混合信号を得るように、フィードバックキャンセル信号が減算される。フィードバックキャンセル信号がフィードバック干渉信号の逆信号である場合、フィードバックキャンセルモジュール１０１は、フィードバックキャンセル信号に従って、フィードバックチャネルの信号に対して干渉キャンセルを実施する。具体的には、フィードバックキャンセル信号がフィードバックチャネルの信号に加算され、第１の混合信号を得る。第１の混合信号は、少なくともフィードバックチャネルが第１の送信チャネルによって干渉を受けたとき生成される干渉信号を含まない。フィードバックキャンセルモジュール１０１は、前述の機能を実装することができる集積回路またはチップであっても、前述の機能を一体化するプロセッサであってもよいことに留意されたい。
【００４２】
本発明のこの実施形態において提供される送信機では、第１のＤＰＤが線形プレディストーション処理を実施する前に、フィードバックキャンセルモジュールが使用され、フィードバックチャネルの信号に対して干渉キャンセルを実施し、フィードバックチャネルに対する第１の送信チャネルの干渉がうまくキャンセルされ、それにより、フィードバックチャネル上の干渉信号が第１の送信チャネルと干渉することを回避し、第１の送信チャネル上の送信信号の歪みを大幅に低減する。
【００４３】
本発明のこの実施形態は、移動通信ネットワーク、固定ワイヤレスアクセスネットワーク、ワイヤレスデータ送信、およびレーダなどのシステムにおいて適用可能であることに留意されたい。
【００４４】
第１の送信チャネルのための干渉キャンセル解決策が本発明のこの実施形態でのみ述べられているが、送信機内の別の送信チャネルのための干渉キャンセル解決策は、前述の構造と同様である。送信機が少なくとも２つの送信チャネルと、１つのフィードバックチャネルとを含む場合、フィードバックチャネルは、１つのフィードバックキャンセルモジュールを含んでも、少なくとも２つのフィードバックキャンセルモジュールを含んでもよい。
【００４５】
説明のために、下記に例が与えられている。
【００４６】
送信機のフィードバックチャネルが１つのフィードバックキャンセルモジュールを含む場合、前述のフィードバックキャンセルモジュールと同様の１つのフィードバックキャンセルモジュールが使用されてもよく、その１つのフィードバックキャンセルモジュールが、別の送信チャネル上のＤＰＤおよびＰＡにも接続される。その１つのフィードバックキャンセルモジュールは、それぞれの送信チャネルに対応するフィードバックキャンセル信号に従って、フィードバックチャネルに対する各送信チャネルの干渉をキャンセルするように、フィードバックチャネルの信号に対して干渉キャンセルを別々に実施する。
【００４７】
送信機のフィードバックチャネルが少なくとも２つのフィードバックキャンセルモジュールを含む場合、その少なくとも２つのフィードバックキャンセルモジュールは、１つの送信チャネルに別々に対応し、フィードバックキャンセルモジュールのいずれか１つが、対応する送信チャネルのＤＰＤおよびＰＡに接続される。この少なくとも２つのフィードバックキャンセルモジュールは、前述のフィードバックキャンセルモジュールと同じである。
【００４８】
実施形態２
図２は、本発明の実施形態２による別の送信機の概略構造図である。図１に示されている実施形態に基づいて、送信機１００は、制御スイッチ２０１をさらに含む。フィードバックキャンセルモジュール１０１は、制御スイッチ２０１を通じてＰＡ１０３に接続されることがあり、制御スイッチ２０１のステータスは、ＰＡ１０３に接続されていることを含み得る。
【００４９】
フィードバックキャンセルモジュール１０１は、制御スイッチ２０１がＰＡ１０３に接続されているとき、フィードバックチャネルの信号を獲得し、第１の混合信号を得るために、フィードバックキャンセル信号に従って、フィードバックチャネルの信号に対して干渉キャンセルを実施し、第１の混合信号を第１のＤＰＤ１０２に送るように特に構成される。
【００５０】
好ましくは、制御スイッチ２０１のステータスは、接地状態またはフローティングをさらに含み、制御スイッチ２０１のステータスが接地状態またはフローティングであるとき、フィードバックチャネルはアイドル状態にある。
【００５１】
フィードバックキャンセルモジュール１０１は、制御スイッチ２０１のステータスが接地状態またはフローティングであるとき、フィードバックチャネルのフィードバック干渉信号を収集することによってフィードバックキャンセル信号を獲得するようにさらに構成される。
【００５２】
具体的には、図２に示されているように、制御スイッチ２０１は、単極多状態スイッチであってよい。フィードバックキャンセルモジュール１０１とＰＡ１０３の間の接続は、フィードバックキャンセルモジュール１０１がフィードバックチャネルの信号を獲得するように、制御スイッチ２０１の単極を状態１に切り替えることによって実施され、接地状態またはフローティングは、フィードバックキャンセルモジュール１０１がフィードバックチャネルのフィードバック干渉信号を収集することによってフィードバックキャンセル信号を獲得するように、制御スイッチ２０１の単極を状態２に切り替えることによって実施され得る。
【００５３】
たとえば、フィードバックチャネルが第１の送信チャネルだけに対応し、制御スイッチ２０１のステータスが接地状態またはフローティングであると仮定すると、フィードバックチャネルの信号は、第１の送信チャネルに対応するフィードバック信号を除く干渉信号、すなわちフィードバックチャネルが第１の送信チャネルによって干渉を受けたとき生成される干渉信号、すなわちフィードバック干渉信号である。したがって、フィードバック干渉信号は、制御スイッチ２０１のステータスが接地状態またはフローティングのときフィードバックキャンセルモジュール１０１によって収集される干渉信号であり得る。
【００５４】
任意選択で、第１のＤＰＤ１０２は、第１のプレディストーション信号を生成する前に、第２のプレディストーション信号を生成するために、第１の送信チャネル上の第１のベースバンド信号に先行するベースバンド信号に対して線形プレディストーション処理を実施し、第２のプレディストーション信号をフィードバックキャンセルモジュール１０１に送るようにさらに構成される。
【００５５】
フィードバックキャンセルモジュール１０１は、制御スイッチ２０１のステータスが接地状態またはフローティングであるとき、フィードバックチャネルのフィードバック干渉信号を収集し、第１のＤＰＤ１０２によって送られた第２のプレディストーション信号とフィードバック干渉信号との間の相関に従って第１のパラメータを獲得し、第１のパラメータおよび第２のプレディストーション信号に従ってフィードバックキャンセル信号を獲得するようにさらに構成される。
【００５６】
図１に示されている実施形態を参照すると、フィードバックチャネルがアイドル状態にあるとき、フィードバックチャネルの信号は、どの送信チャネルに対応するフィードバック信号も含まないことに留意されたい。
【００５７】
送信機が２つ以上の送信チャネルを含み、フィードバックチャネルがそれらの２つ以上の送信チャネルに対応すると仮定すると、フィードバックチャネルがアイドル状態にあるとき、フィードバックチャネルの信号は、フィードバックチャネルが第１の送信チャネルによって干渉を受けたとき生成される干渉信号に加えて、フィードバックチャネルが別の送信信号によって干渉を受けたとき生成される干渉信号をさらに含む。なぜなら、フィードバックチャネルが第１の送信チャネルによって干渉を受けたとき生成される干渉信号と、第１の送信チャネルによって送信される信号は共に、同じデータパケットまたは同様のデータパケットの信号を含み、これらの信号は、互いに非常に似ており、非常に相関されるからである。したがって、第１の送信チャネルによって送信された信号が第１のＤＰＤ１０２によって生成されたプレディストーション信号であるとき、フィードバックキャンセルモジュール１０１は、第１のプレディストーション信号を生成する前に第１のＤＰＤ１０２によって生成される第２のプレディストーション信号とフィードバックチャネルの信号との間の相関に従って、フィードバックチャネルの信号を、フィードバックチャネルが第１の送信チャネルによって干渉を受けたとき生成される干渉信号、およびフィードバックチャネルが１または複数の他の送信チャネルによって干渉を受けたとき生成される干渉信号に分解し、次いで、フィードバックチャネルが第１の送信チャネルによって干渉を受けたとき生成される干渉信号と第２のプレディストーション信号との間の相対係数、すなわち第１のパラメータを獲得してもよい。
【００５８】
この場合、フィードバックキャンセルモジュール１０１は、第１のパラメータと第２のプレディストーション信号を乗算することによってフィードバックキャンセル信号を得てもよい。
【００５９】
フィードバックキャンセル信号に対する操作およびフィードバックチャネルに対する干渉キャンセルは、共に事前設定の期間に従って反復的に実施されてもよいことに留意されたい。この場合、第１の送信チャネル上の第１のベースバンド信号に先行するベースバンド信号は、現在の期間の前の期間における第１の送信チャネル上のベースバンド信号であってよく、次いで、第２のプレディストーション信号は、前の期間において第１のＤＰＤ１０２によって生成されるプレディストーション信号である。すなわち、前述の第２のプレディストーション信号は、前の期間において第１のＤＰＤ１０２によって生成されるプレディストーション信号であり得る。
【００６０】
本発明のこの実施形態において提供される送信機では、制御スイッチがフローティングまたは接地状態に変更されたとき得られるフィードバック干渉信号はより正確であり、その結果、決定されるフィードバックキャンセル信号がより正確であり、それにより、フィードバックキャンセルモジュールによって実施される干渉キャンセルがより徹底した正確なものであることがより確実になり、信号の線形性を改善し、非線形歪みを低減する。
【００６１】
実施形態３
図１および図２に示されている実施形態に基づいて、本発明の実施形態３は、別の送信機を提供する。図３は、本発明の実施形態３による別の送信機の概略構造図である。図３に示されている実施形態は、説明の例として、送信キャンセルモジュールと図１に示されている実施形態を組み合わせることによって得られる送信機を使用する。図３に示されているように、送信機１００は、送信キャンセルモジュール３０１をさらに含む。送信キャンセルモジュール３０１は、第１の送信チャネル上に位置し、第１のＤＰＤ１０２は、送信キャンセルモジュール３０１を通じてＰＡ１０３に接続される。
【００６２】
送信キャンセルモジュール３０１は、送信予定の信号を得るために、第１の送信キャンセル信号に従って、第１のＤＰＤ１０２によって生成された第１のプレディストーション信号に対して干渉キャンセルを実施し、送信予定の信号をＰＡ１０３に送るように構成される。
【００６３】
第１の送信キャンセル信号は、第１の送信チャネルが送信機内の第１の送信チャネルを除く１または複数の他の送信チャネルによって干渉を受けたとき生成される干渉信号に従って得られる信号である。
【００６４】
具体的には、第１の送信キャンセル信号は、直接、送信干渉信号であっても、送信干渉信号の逆信号であってもよい。送信干渉信号は、第１の送信チャネルが送信機内の第１の送信チャネルを除く１または複数の他の送信チャネルによって干渉を受けたとき生成される干渉信号を含んでもよい。
【００６５】
さらに、送信キャンセルモジュール３０１によって、送信予定の信号を得るために第１の送信キャンセル信号に従って第１のプレディストーション信号に対して干渉キャンセルを実施することは、
第１の送信キャンセル信号が送信干渉信号である場合、第１のプレディストーション信号に対して信号分解を実施し、第１の送信キャンセル信号を減算し、送信予定の信号を得ること、または
第１の送信キャンセル信号が送信干渉信号の逆信号である場合、第１の送信キャンセル信号を第１のプレディストーション信号に加算し、送信予定の信号を得ることを含み得る。
【００６６】
送信干渉信号はアナログ信号であってもよく、本明細書において限定されないことに留意されたい。
【００６７】
本発明のこの実施形態では、送信キャンセルモジュールは、第１の送信キャンセル信号に従って第１の送信チャネル上のプレディストーション信号に対して干渉キャンセルを実施し、第１の送信チャネルに対する送信機内の第１の送信チャネルを除く１または複数の他の送信チャネルの干渉をうまくキャンセルすることができ、その結果、第１の送信チャネルに対する干渉が低減され、それにより、第１の送信チャネル上の送信信号の歪みを低減する。
【００６８】
さらに、送信機１００では、送信キャンセルモジュール３０１はフィードバックキャンセルモジュール１０１に接続され、送信機１００は、第２のＤＰＤ３０２をさらに含み、第２のＤＰＤ３０２は、送信機１００の第２の送信チャネル上に位置し、送信キャンセルモジュール３０１に接続される。第２の送信チャネルは、送信機１００内の第１の送信チャネルを除く任意の送信チャネルである。
【００６９】
フィードバックキャンセルモジュール１０１は、第１の混合信号を送信キャンセルモジュール３０１に送るようにさらに構成される。
【００７０】
第２のＤＰＤ３０２は、第２のベースバンド信号に従ってプレディストーション信号を生成し、プレディストーション信号を送信キャンセルモジュール３０１に送るように構成され、第２のベースバンド信号は、第２の送信チャネルのベースバンド信号である。
【００７１】
送信キャンセルモジュール３０１は、第１の送信キャンセル信号に従って第１のプレディストーション信号に対して干渉キャンセルを実施する前に、フィードバックキャンセルモジュール１０１によって送られた第１の混合信号と第２のＤＰＤ３０２によって生成されたプレディストーション信号との間の相関に従って第２のパラメータを獲得し、第２のパラメータおよび第２のＤＰＤ３０２によって生成されたプレディストーション信号に従って第１の送信キャンセル信号を獲得するように特に構成される。
【００７２】
具体的には、ＰＡ１０３がフィードバックキャンセルモジュール１０１に接続されているとき、第１の送信チャネルが送信機内の第１の送信チャネルを除く別の送信信号によって干渉を受けたとき生成される干渉信号、すなわち送信干渉信号が、フィードバックチャネルの信号が送信干渉信号をさらに含むように第１の送信チャネルのＰＡ１０３を通じて送信機のフィードバックチャネルに送信される。すなわち、フィードバックキャンセルモジュール１０１がフィードバックチャネルの信号に対して干渉キャンセルを実施した後で生成される第１の混合信号は、送信干渉信号をさらに含む。送信干渉信号は、第１の送信チャネルが送信機内の第１の送信チャネルを除く別の送信信号によって干渉を受けたとき生成される干渉信号であるので、送信機内の別の送信チャネルのプレディストーション信号、すなわち第２のＤＰＤ３０２によって生成されたプレディストーション信号は、送信干渉信号のものと同じまたは同様のデータパケットを含む。同じまたは同様のデータパケットの信号は差が小さい、すなわち信号同士が非常に相関されるので、送信干渉信号は、第１の混合信号と第２のＤＰＤ３０２によって生成されたプレディストーション信号との間の相関に従って第１の混合信号から獲得され得、次いで、送信干渉信号と第２のＤＰＤ３０２によって生成されたプレディストーション信号との間の相対係数、すなわち第２のパラメータが決定される。
【００７３】
この場合、送信キャンセルモジュール３０１は、第１の送信キャンセル信号を得るために、第２のパラメータと第２のＤＰＤ３０２によって生成されたプレディストーション信号を乗算してもよい。
【００７４】
本発明のこの実施形態では、前述の方法を使用することによって、第１の送信キャンセル信号をより正確に決定することができ、それにより、送信キャンセルモジュールによって実施される干渉キャンセルがより徹底した正確なものであることがより確実になり、信号の線形性を改善し、非線形歪みを低減する。
【００７５】
この実施形態の解決策では、実施形態２におけるものと同様の制御スイッチがフィードバックキャンセルモジュール１０１とＰＡ１０３の間に配置されてもまたよいことに留意されたい。フィードバックチャネルのアイドル状態は、制御スイッチを接地またはフローティングすることによって実施され、フィードバックキャンセルモジュール１０１とＰＡ１０３の間の接続は、制御スイッチとＰＡ１０３の間の接続によって実施され、これらについて本明細書では再度詳細に述べない。
【００７６】
実施形態４
図１および図２に示されている実施形態に基づいて、本発明の実施形態４は、別の送信機を提供する。図４は、本発明の実施形態４による別の送信機の概略構造図である。図４に示されている実施形態は、説明の例として、送信キャンセルモジュールと図１に示されている実施形態を組み合わせることによって得られる送信機を使用する。図４に示されているように、送信機１００は、送信キャンセルモジュール４０１をさらに含む。送信キャンセルモジュール４０１は、第１の送信チャネル上に位置し、第１のＤＰＤ１０２を通じてＰＡ１０３に接続される。
【００７７】
送信キャンセルモジュール４０１は、第１のベースバンド信号を得るために、第２の送信キャンセル信号に従って、第１の送信チャネル上の第３のベースバンド信号に対して干渉キャンセルを実施し、第１のベースバンド信号を第１のＤＰＤ１０２に送るように構成される。
【００７８】
第２の送信キャンセル信号は、第１の送信チャネルが送信機内の第１の送信チャネルを除く１または複数の他の送信チャネルによって干渉を受けたとき生成される干渉信号に従って得られる信号であってもよい。
【００７９】
本発明のこの実施形態における送信キャンセルモジュールは、実施形態３の前述の解決策におけるものとは異なる、送信機内側の第１の送信チャネル上の場所を有し、送信キャンセルモジュールは、第２の送信キャンセル信号に従って異なる信号に対して干渉キャンセルを実施する。実施形態３の前述の解決策では、送信キャンセルモジュールは、第１のＤＰＤによって生成されたプレディストーション信号、すなわち第１のプレディストーション信号に対して干渉プレキャンセルを実施し、一方、本発明のこの実施形態では、送信キャンセルモジュールは、第１のＤＰＤがプレディストーション信号を生成する前に第２の送信キャンセル信号に従ってベースバンド信号に対して干渉プレキャンセルを実施し得る。
【００８０】
さらに、上記の解決策では、送信キャンセルモジュール４０１は、フィードバックキャンセルモジュール１０１にさらに接続される。
【００８１】
フィードバックキャンセルモジュール１０１は、第１の混合信号を送信キャンセルモジュール４０１に送るようにさらに構成される。
【００８２】
送信キャンセルモジュール４０１は、第３のベースバンド信号に対して干渉キャンセルを実施する前に、フィードバックキャンセルモジュール１０１によって送られた第１の混合信号と第２のベースバンド信号との間の相関に従って第３のパラメータを獲得し、第３のパラメータおよび第２のベースバンド信号に従って第２の送信キャンセル信号を獲得するようにさらに構成され、第２のベースバンド信号は、送信機内の第２の送信チャネルのベースバンド信号であり、第２の送信チャネルは、送信機内の第１の送信チャネルを除く任意の送信チャネルである。
【００８３】
具体的には、ＰＡ１０３がフィードバックキャンセルモジュール１０１に接続されているとき、第１の送信チャネルが送信機内の第１の送信チャネルを除く別の送信信号によって干渉を受けたとき生成される干渉信号、すなわち送信干渉信号が、フィードバックチャネルの信号が送信干渉信号をさらに含むように第１の送信チャネルのＰＡ１０３を通じて送信機のフィードバックチャネルに送信される。すなわち、フィードバックキャンセルモジュール１０１がフィードバックチャネルの信号に対して干渉キャンセルを実施した後で生成される第１の混合信号は、送信干渉信号をさらに含む。送信干渉信号は、第１の送信チャネルが送信機内の第１の送信チャネルを除く別の送信信号によって干渉を受けたとき生成される干渉信号であるので、送信機内の別の送信チャネルのベースバンド信号、すなわち第２のベースバンド信号は、第１の混合信号のものと同じまたは同様のデータパケットを含む。同じまたは同様のデータパケットの信号は差が小さい、すなわち信号同士が非常に相関されるので、送信干渉信号は、第１の混合信号と第２のベースバンド信号との間の相関に従って第１の混合信号から獲得され得、次いで、送信干渉信号と第２のベースバンド信号との間の相対係数、すなわち第３のパラメータが決定される。
【００８４】
この場合、送信キャンセルモジュール４０１は、第３のパラメータと第２のベースバンド信号を乗算し、第２の送信キャンセル信号を得てもよい。
【００８５】
本発明のこの実施形態において提供される送信機では、第１のＤＰＤが線形プレディストーションを実施する前に、送信キャンセルモジュールが、第２の送信キャンセル信号に従って第１の送信チャネルに対する送信機内の第１の送信チャネルを除く別の送信信号の干渉をキャンセルし、それにより、第１の送信チャネル上の送信信号の歪みを低減し、送信信号の線形性を確保する。さらに、第２の送信キャンセル信号を決定するための特定の解決策が使用され、第２の送信キャンセル信号をより正確にし、それにより、送信キャンセルモジュールによって実施される干渉キャンセルがより徹底した正確なものであることがより確実になり、信号の線形性を改善し、非線形歪みを低減する。
【００８６】
この実施形態の解決策では、実施形態２におけるものと同様の制御スイッチがフィードバックキャンセルモジュール１０１とＰＡ１０３の間に配置されてもまたよいことに留意されたい。フィードバックチャネルのアイドル状態は、制御スイッチを接地またはフローティングすることによって実施され、フィードバックキャンセルモジュール１０１とＰＡ１０３の間の接続は、制御スイッチとＰＡ１０３の間の接続によって実施され、これらについて本明細書では再度詳細に述べない。
【００８７】
実施形態５
本発明の実施形態５は、干渉キャンセル方法をさらに提供する。この方法は、前述の実施形態のいずれかに記載の送信機によって実行され得る。図５は、本発明の実施形態５による干渉キャンセル方法の流れ図である。この方法について、以下、具体的に述べる。
【００８８】
ステップ５０１：送信機内のフィードバックチャネルが送信機内の第１の送信チャネルに接続されているとき、フィードバックチャネルの信号を獲得する。
【００８９】
ステップ５０２：第１の混合信号を得るために、フィードバックキャンセル信号に従って、フィードバックチャネルの信号に対して干渉キャンセルを実施する。
【００９０】
フィードバックキャンセル信号は、フィードバックチャネルがアイドル状態にあるとき収集されるフィードバック干渉信号に従って得られる信号である。
【００９１】
アイドル状態については、図１に示されている実施形態における関連の説明を参照されたい。
【００９２】
ステップ５０３：第１のプレディストーション信号を生成するために、第１の送信チャネルの第１のベースバンド信号および第１の混合信号に従って線形プレディストーション処理を実施する。
【００９３】
ステップ５０４：送信予定の信号を増幅し、次いでアンテナを使用することによって信号を送信する。送信予定の信号は、第１のプレディストーション信号または第１のプレディストーション信号に従って得られる信号である。
【００９４】
本発明のこの実施形態は、前述の実施形態に記載の送信機によって実行され得、本発明のこの実施形態の特定の実装プロセスおよび有益な効果は、前述の実施形態のものと同様であり、詳細は、本明細書では再度提供されない。
【００９５】
さらに、この実施形態におけるステップ５０２では、フィードバックキャンセル信号に従って、フィードバックチャネルの信号に対して干渉キャンセルを実施するステップの前に、方法は、以下をさらに含む。
【００９６】
ステップ５０２ａ：フィードバックチャネルがアイドル状態にあるとき、フィードバックチャネルのフィードバック干渉信号を収集し、フィードバック干渉信号と第２のプレディストーション信号との間の相関に従って第１のパラメータを獲得する。
【００９７】
ステップ５０２ｂ：第１のパラメータおよび第２のプレディストーション信号に従ってフィードバックキャンセル信号を獲得する。
【００９８】
第２のプレディストーション信号は、第１の送信チャネル上で送信された第１のベースバンド信号に先行するベースバンド信号に対して線形プレディストーションを実施することによって生成されるプレディストーション信号である。
【００９９】
任意選択で、ステップ５０２では、フィードバックキャンセル信号に従って、フィードバックチャネルの信号に対して干渉キャンセルを実施するステップの前に、方法は、フィードバックチャネルがアイドル状態にあるとき、フィードバックチャネルのフィードバック干渉信号を収集することによってフィードバックキャンセル信号を獲得するステップをさらに含む。
【０１００】
上記の解決策では、アイドル状態は、フローティングまたは接地状態を含む。
【０１０１】
さらに、前述の解決策のステップ５０４では、送信予定の信号を増幅し、次いでアンテナを使用することによって信号を送信するステップの前に、方法は、以下をさらに含む。
【０１０２】
ステップ５０４ａ：送信予定の信号を得るために、第１の送信キャンセル信号に従って、第１のプレディストーション信号に対して干渉キャンセルを実施する。
【０１０３】
第１の送信キャンセル信号は、第１の送信チャネルが送信機内の第１の送信チャネルを除く送信チャネルによって干渉を受けたとき生成される干渉信号に従って得られる信号である。
【０１０４】
さらに、上記の解決策におけるステップ５０４ａでは、第１の送信キャンセル信号に従って、第１のプレディストーション信号に対して干渉キャンセルを実施するステップの前に、方法は、以下をさらに含む。
【０１０５】
ステップ５０４ｂ：第１の混合信号と第２の送信チャネル内で生成されたプレディストーション信号との間の相関に従って第２のパラメータを獲得する。
【０１０６】
ステップ５０４ｃ：第２のパラメータおよび第２の送信チャネル内で生成されたプレディストーション信号に従って第１の送信キャンセル信号を獲得する。
【０１０７】
第２の送信チャネルは、送信機内の第１の送信チャネルを除く任意の送信チャネルである。
【０１０８】
第１の送信キャンセル信号を得る特定の実装法については、図２に示されている実施形態における関連の説明を参照することがあり、詳細は再度提供されないことに留意されたい。
【０１０９】
あるいは、この実施形態は、干渉キャンセル方法をさらに提供する。図６は、本発明の実施形態５による別の干渉キャンセル方法の流れ図である。図６に示されているように、上記の解決策におけるステップ５０３では、第１の送信チャネルの第１のベースバンド信号および第１の混合信号に従って線形プレディストーション処理を実施するステップの前に、方法は、以下をさらに含む。
【０１１０】
ステップ６０１：第１のベースバンド信号を得るために、第２の送信キャンセル信号に従って、第１の送信チャネル上の第３のベースバンド信号に対して干渉キャンセルを実施する。
【０１１１】
送信キャンセル信号は、第１の送信チャネルが送信機内の第１の送信チャネルを除く１または複数の他の送信チャネルによって干渉を受けたとき生成される干渉信号に従って得られる信号である。
【０１１２】
さらに、ステップ６０１では、第２の送信キャンセル信号に従って、第１の送信チャネル上の第３のベースバンド信号に対して干渉キャンセルを実施するステップの前に、方法は、以下をさらに含む。
【０１１３】
ステップ６０１ａ：第１の混合信号と第２のベースバンド信号との間の相関に従って第２のパラメータを獲得する。
【０１１４】
ステップ６０１ｂ：第２のパラメータおよび第２のベースバンド信号に従って第２の送信キャンセル信号を獲得する。
【０１１５】
第２の送信チャネルは、送信機内の第１の送信チャネルを除く任意の送信チャネルであり、第２のベースバンド信号は、第２の送信チャネルのベースバンド信号である。
【０１１６】
第２の送信キャンセル信号を得る特定の実装法については、図３に示されている実施形態における関連の説明を参照することがあり、詳細は再度提供されないことに留意されたい。
【０１１７】
本発明のこの実施形態は、前述の実施形態に記載の送信機によって実行され得、本発明のこの実施形態の特定の実装プロセスおよび有益な効果は、前述の実施形態のものと同様であり、詳細は、本明細書では再度提供されない。
【０１１８】
実施形態６
本発明のこの実施形態は、送信機、および干渉キャンセル方法をさらに提供する。具体的には、送信機が２つの送信チャネルと１つのフィードバックチャネルとを含む例を使用することによって説明する。図７は、本発明の実施形態６による別の送信機の概略構造図である。
【０１１９】
図７に示されている送信機７００は、第１の送信チャネルＴＸ１と、第２の送信チャネルＴＸ２と、フィードバックチャネルとを含む。第１の送信チャネルＴＸ１のベースバンド信号は第１のベースバンド信号であり、第２の送信チャネルＴＸ２のベースバンド信号は第２のベースバンド信号である。送信機７００は、第１のＤＰＤ７０１と、第１の送信キャンセルモジュール７０２と、第１のＰＡ７０３とを含む。第１のＤＰＤ７０１、第１の送信キャンセルモジュール７０２、および第１のＰＡ７０３は、第１の送信チャネルＴＸ１上に位置し、順に接続される。送信機７００は、第２のＤＰＤ７０４と、第２の送信キャンセルモジュール７０５と、第２のＰＡ７０６とをさらに含む。第２のＤＰＤ７０４、第２の送信キャンセルモジュール７０５、および第２のＰＡ７０６は、第２の送信チャネルＴＸ２上に位置し、順に接続される。送信機７００のフィードバックチャネルは、第１のフィードバックキャンセルモジュール７０７と、第２のフィードバックキャンセルモジュール７０８とを含む。送信機７００は、制御スイッチ７０９をさらに含む。第１のフィードバックキャンセルモジュール７０７は、第１の送信キャンセルモジュール７０２および第１のＤＰＤ７０１に接続され、第２のフィードバックキャンセルモジュール７０８は、第２の第１の送信キャンセルモジュール７０５および第２のＤＰＤ７０４に接続される。第１の送信キャンセルモジュール７０２もまた、第２のＤＰＤ７０４に接続される。第２の送信キャンセルモジュール７０５は、第１のＤＰＤ７０１にも接続される。
【０１２０】
制御スイッチ７０９は、単極３状態スイッチであり、すなわち、スイッチは３つの状態を含む。制御スイッチ７０９の状態が状態１である場合、第１のフィードバックキャンセルモジュール７０７は、制御スイッチ７０９を通じて第１のＰＡ７０３に接続され、制御スイッチ７０９の状態が状態２である場合、第１のフィードバックキャンセルモジュール７０７および第２のフィードバックキャンセルモジュール７０８は、制御スイッチ７０９を使用することによって共に接地状態またはフローティングであり得、この場合、フィードバックチャネルは、アイドル状態にあり、制御スイッチ７０９の状態が状態３である場合、第２のフィードバックキャンセルモジュール７０８は、制御スイッチ７０９を通じて第２のＰＡ７０６に接続され得る。
【０１２１】
図８は、本発明の実施形態６による別の干渉キャンセル方法の流れ図である。この方法は、図７に示されている送信機によって実行される。具体的には、フィードバックチャネルの状態切り替えが、制御スイッチの状態の変更によって実施されてもよい。この方法は、以下のステップを含み得る。
【０１２２】
ステップ８０１：制御スイッチ７０９を状態２に変更する。第１のフィードバックキャンセルモジュール７０７は、フィードバックチャネルが第１の送信チャネルによって干渉を受けたとき生成される、得られた第１のフィードバック干渉信号に従って第１のフィードバックキャンセル信号を生成し、第２のフィードバックキャンセルモジュール７０８は、フィードバックチャネルが第２の送信チャネルによって干渉を受けたとき生成される、得られた第２のフィードバック干渉信号に従って第２のフィードバックキャンセル信号を生成する。
【０１２３】
具体的には、第１のフィードバックキャンセル信号は、以下のように得られる信号であり得る。すなわち、第１のフィードバックキャンセルモジュール７０７は、最初に、第１の送信チャネル上の第１のベースバンド信号に先行するベースバンド信号に従って第１の送信チャネル上の第１のＤＰＤ７０１によって生成されるプレディストーション信号と、制御スイッチ７０９が状態２にあるときのフィードバックチャネルの第１のフィードバック干渉信号との間の相関に従って第１のパラメータを獲得し、次いで、第１のパラメータと、第１の送信チャネル上の第１のベースバンド信号に先行するベースバンド信号に従って第１のＤＰＤ７０１によって生成されるプレディストーション信号とに従って第１のフィードバックキャンセル信号を獲得する。同様に、第２のフィードバックキャンセル信号は、以下のように得られる信号であり得る。すなわち、第２のフィードバックキャンセルモジュール７０８は、第２の送信チャネル上の第２のベースバンド信号に先行するベースバンド信号に従って第２の送信チャネル上の第２のＤＰＤ７０４によって生成されるプレディストーション信号と、制御スイッチ７０９が状態２にあるときのフィードバックチャネルの第２のフィードバック干渉信号との間の相関に従って第３のパラメータを獲得し、次いで、第３のパラメータと、第２の送信チャネル上の第２のベースバンド信号に先行するベースバンド信号に従って第２のＤＰＤ７０４によって生成されるプレディストーション信号とに従って第２のフィードバックキャンセル信号を獲得する。
【０１２４】
第１のフィードバックキャンセル信号は、以下のように得られる信号でもあってもまたよい。すなわち、第１のフィードバックキャンセルモジュール７０７は、最初に、第１の送信チャネルのベースバンド信号、すなわち第１のベースバンド信号と、制御スイッチ７０９が状態２にあるときのフィードバックチャネルの第１のフィードバック干渉信号との間の相関に従って第１のパラメータを獲得し、次いで、第１のパラメータおよび第１のベースバンド信号に従って第１のフィードバックキャンセル信号を獲得する。同様に、第２のフィードバックキャンセル信号は、以下のように得られる信号でもあってもまたよい。すなわち、第２のフィードバックキャンセルモジュール７０８は、第２の送信チャネルのベースバンド信号、すなわち第２のベースバンド信号と、制御スイッチ７０９が状態２にあるときのフィードバックチャネルの第２のフィードバック干渉信号との間の相関に従って第３のパラメータを獲得し、次いで、第３のパラメータおよび第２のベースバンド信号に従って第２のフィードバックキャンセル信号を獲得する。
【０１２５】
ステップ８０２：制御スイッチ７０９を状態１に変更する。第１のフィードバックキャンセルモジュール７０７は、第１のＰＡ７０３によって出力された信号を獲得し、第１の混合信号を得るために、第１のフィードバックキャンセル信号に従って、第１のＰＡ７０３によって出力された信号に対してフィードバック干渉キャンセルを実施する。
【０１２６】
ステップ８０３：第１のＤＰＤ７０１は、第１の混合信号および第１のベースバンド信号に従って第１のプレディストーション信号を生成する。
【０１２７】
ステップ８０４：第１の送信キャンセルモジュール７０２は、第２のパラメータを得るために、第１の混合信号と第２のＤＰＤ７０４によって出力されたプレディストーション信号との間の相関に従ってモデル化を実施し、第２のパラメータおよび第２のＤＰＤ７０４によって出力されたプレディストーション信号に従って第１の送信キャンセル信号を獲得する。
【０１２８】
第２のＤＰＤ７０４によって出力されたプレディストーション信号は、第２のベースバンド信号に従って第２のＤＰＤ７０４によって生成されるプレディストーション信号であり得る。
【０１２９】
ステップ８０５：第１の送信キャンセルモジュール７０２は、第１の送信予定の信号を生成するために、第１の送信キャンセル信号に従って第１のプレディストーション信号に対して干渉キャンセルを実施し、第１の送信予定の信号を、その信号が第１のＰＡ７０３によって増幅された後で送信する。
【０１３０】
ステップ８０６：制御スイッチ７０９を状態３に変更する。第２のフィードバックキャンセルモジュール７０８は、第２のＰＡ７０６によって出力された信号を獲得し、第２の混合信号を得るために、第２のフィードバックキャンセル信号に従って、第２のＰＡ７０６によって出力された信号に対してフィードバック干渉キャンセルを実施する。
【０１３１】
ステップ８０７：第２のＤＰＤ７０４は、第２の混合信号および第２のベースバンド信号に従って第２のプレディストーション信号を生成する。
【０１３２】
ステップ８０８：第２の送信キャンセルモジュール７０５は、第４のパラメータを得るために、第２の混合信号と第１のＤＰＤ７０１によって出力されたプレディストーション信号との間の相関に従ってモデル化を実施し、第４のパラメータおよび第１のＤＰＤ７０１によって出力されたプレディストーション信号に従って第２の送信キャンセル信号を獲得する。
【０１３３】
ステップ８０９：第２の送信キャンセルモジュール７０５は、第２の送信予定の信号を生成するために、第２の送信キャンセル信号に従って第２のプレディストーション信号に対して干渉キャンセルを実施し、第２の送信予定の信号を、その信号が第２のＰＡ７０６によって増幅された後で送信する。
【０１３４】
本発明のこの実施形態では、特定の例を使用することによって説明している。それらの有益な効果は、前述の実施形態のものと同様であり、詳細は、本明細書では再度提供されない。
【０１３５】
本発明のこの実施形態は、送信機が２つの送信チャネルと１つのフィードバックチャネルを有する例を使用することによって説明されているが、本発明のこの実施形態は、送信機が２つ以上の送信チャネルと１つのフィードバックチャネルを含む場合にも適用可能であることに留意されたい。送信機が２つ以上の送信チャネルと１つのフィードバックチャネルを含む場合は、本発明のこの実施形態を適応的に修正することだけによって実施することができる。
【０１３６】
実施形態７
本発明のこの実施形態は、別の送信機および干渉キャンセル方法をさらに提供する。具体的には、送信機が２つの送信チャネルと１つのフィードバックチャネルとを含む例を使用することによって説明する。図９は、本発明の実施形態７による別の送信機の概略構造図である。
【０１３７】
図９に示されている送信機９００は、第１の送信チャネルＴＸ１と、第２の送信チャネルＴＸ２と、フィードバックチャネルとを含む。第１の送信チャネルＴＸ１のベースバンド信号は、第１のベースバンド信号と第３のベースバンド信号とを含み、第２の送信チャネルＴＸ２のベースバンド信号は、第２のベースバンド信号と第４のベースバンド信号とを含む。送信機９００は、第１の送信キャンセルモジュール９０１と、第１のＤＰＤ９０２と、第１のＰＡ９０３とを含む。第１の送信キャンセルモジュール９０１、第１のＤＰＤ９０２、および第１のＰＡ９０３は、第１の送信チャネルＴＸ１上に位置し、順に接続される。送信機９００は、第２の送信キャンセルモジュール９０４と、第２のＤＰＤ９０５と、第２のＰＡ９０６とをさらに含む。第２の送信キャンセルモジュール９０４、第２のＤＰＤ９０５、および第２のＰＡ９０６は、第２の送信チャネルＴＸ２上に位置し、順に接続される。送信機９００のフィードバックチャネルは、第１のフィードバックキャンセルモジュール９０７と、第２のフィードバックキャンセルモジュール９０８とを含む。送信機９００は、制御スイッチ９０９をさらに含む。第１のフィードバックキャンセルモジュール９０７は、第１の送信キャンセルモジュール９０１および第１のＤＰＤ９０２に接続され、第２のフィードバックキャンセルモジュール９０８は、第２の送信キャンセルモジュール９０４および第２のＤＰＤ９０５に接続される。第１の送信キャンセルモジュール９０１は、第２の送信キャンセルモジュール９０４によって出力される第２のベースバンド信号を受け取るように第２の送信キャンセルモジュール９０４にさらに接続される。第２の送信キャンセルモジュール９０４は、第１の送信キャンセルモジュール９０１によって出力される第１のベースバンド信号を受け取るように第１の送信キャンセルモジュール９０１にさらに接続される。
【０１３８】
制御スイッチ９０９は、単極３状態スイッチであり、すなわち、スイッチは３つの状態を含む。制御スイッチ９０９の状態が状態１である場合、第１のフィードバックキャンセルモジュール９０７は、制御スイッチ９０９を通じて第１のＰＡ９０３に接続され、制御スイッチ９０９の状態が状態２である場合、第１のフィードバックキャンセルモジュール９０７および第２のフィードバックキャンセルモジュール９０８は、制御スイッチ９０９を使用することによって共に接地状態またはフローティングであり得、この場合、フィードバックチャネルは、アイドル状態にあり、制御スイッチ９０９の状態が状態３である場合、第２のフィードバックキャンセルモジュール９０８は、制御スイッチ９０９を通じて第２のＰＡ９０６に接続され得る。
【０１３９】
図１０は、本発明の実施形態７による別の干渉キャンセル方法の流れ図である。この方法は、図９に示されている送信機によって実行され、以下のステップを含む。
【０１４０】
ステップ１００１：制御スイッチ９０９を状態２に変更する。第１のフィードバックキャンセルモジュール９０７は、フィードバックチャネルが第１の送信チャネルによって干渉を受けたとき生成される、得られた第１のフィードバック干渉信号に従って第１のフィードバックキャンセル信号を生成し、第２のフィードバックキャンセルモジュール９０８は、フィードバックチャネルが第２の送信チャネルによって干渉を受けたとき生成される、得られた第２のフィードバック干渉信号に従って第２のフィードバックキャンセル信号を生成する。
【０１４１】
具体的には、第１のフィードバックキャンセル信号は、以下のように得られる信号であり得る。すなわち、第１のフィードバックキャンセルモジュール９０７は、最初に、第１の送信チャネル上の第１のベースバンド信号に先行するベースバンド信号に従って第１の送信チャネル上の第１のＤＰＤ９０２によって生成されるプレディストーション信号と、制御スイッチ９０９が状態２にあるときのフィードバックチャネルの第１のフィードバック干渉信号との間の相関に従って第１のパラメータを獲得し、次いで、第１のパラメータと、第１の送信チャネル上の第１のベースバンド信号に先行するベースバンド信号に従って第１のＤＰＤ９０２によって生成されるプレディストーション信号とに従って第１のフィードバックキャンセル信号を獲得する。同様に、第２のフィードバックキャンセル信号は、以下のように得られる信号であり得る。すなわち、第２のフィードバックキャンセルモジュール９０８は、第２の送信チャネル上の第２のベースバンド信号に先行するベースバンド信号に従って第２の送信チャネル上の第２のＤＰＤ９０５によって生成されるプレディストーション信号と、制御スイッチ９０９が状態２にあるときのフィードバックチャネルの第２のフィードバック干渉信号との間の相関に従って第３のパラメータを獲得し、次いで、第３のパラメータと、第２の送信チャネル上の第２のベースバンド信号に先行するベースバンド信号に従って第２のＤＰＤ９０５によって生成されるプレディストーション信号とに従って第２のフィードバックキャンセル信号を獲得する。
【０１４２】
第１のフィードバックキャンセル信号は、以下のように得られる信号であってもまたよい。すなわち、第１のフィードバックキャンセルモジュール９０７は、最初に、第１の送信チャネルの第１のベースバンド信号と、制御スイッチ９０９が状態２にあるときのフィードバックチャネルの第１のフィードバック干渉信号との間の相関に従って第１のパラメータを獲得し、次いで、第１のパラメータおよび第１のベースバンド信号に従って第１のフィードバックキャンセル信号を獲得する。同様に、第２のフィードバックキャンセル信号は、以下のように得られる信号でもあってもまたよい。すなわち、第２のフィードバックキャンセルモジュール９０８は、第２の送信チャネルの第２のベースバンド信号と、制御スイッチ９０９が状態２にあるときのフィードバックチャネルの第２のフィードバック干渉信号との間の相関に従って第３のパラメータを獲得し、次いで、第３のパラメータおよび第２のベースバンド信号に従って第２のフィードバックキャンセル信号を獲得する。
【０１４３】
ステップ１００２：制御スイッチ９０９を状態１に変更する。第１のフィードバックキャンセルモジュール９０７は、第１のＰＡ９０３によって出力された信号を獲得し、第１の混合信号を得るために、第１のフィードバックキャンセル信号に従って、第１のＰＡ９０３によって出力された信号に対してフィードバック干渉キャンセルを実施する。
【０１４４】
ステップ１００３：第１の送信キャンセルモジュール９０１は、第２のパラメータを得るために、第１の混合信号と第２のベースバンド信号との間の相関に従ってモデル化を実施し、第２のパラメータおよび第２のベースバンド信号に従って第１の送信キャンセル信号を獲得する。
【０１４５】
ステップ１００４：第１の送信キャンセルモジュール９０１は、第１のベースバンド信号を生成するために、第１の送信キャンセル信号に従って第３のベースバンド信号に対して干渉キャンセルを実施する。
【０１４６】
ステップ１００５：第１のＤＰＤ９０２は、第１の混合信号および第１のベースバンド信号に従って第１のプレディストーション信号を生成し、第１のプレディストーション信号を第１の送信予定の信号として使用し、第１の送信予定の信号を、その信号が第１のＰＡ９０３によって増幅された後で送信する。
【０１４７】
ステップ１００６：制御スイッチ９０９を状態３に変更する。第２のフィードバックキャンセルモジュール９０８は、第２のＰＡ９０６によって出力された信号を獲得し、第２の混合信号を得るために、第２のフィードバックキャンセル信号に従って、第２のＰＡ９０６によって出力された信号に対してフィードバック干渉キャンセルを実施する。
【０１４８】
ステップ１００７：第２の送信キャンセルモジュール９０４は、第４のパラメータを得るために、第２の混合信号と第１のベースバンド信号との間の相関に従ってモデル化を実施し、第４のパラメータおよび第１のベースバンド信号に従って第１の送信キャンセル信号を獲得する。
【０１４９】
ステップ１００８：第２の送信キャンセルモジュール９０４は、第２のベースバンド信号を生成するために、第２の送信キャンセル信号に従って第４のベースバンド信号に対して干渉キャンセルを実施する。
【０１５０】
ステップ１００９：第２のＤＰＤ９０５は、第２の混合信号および第２のベースバンド信号に従って第２のプレディストーション信号を生成し、第２のプレディストーション信号を第２の送信予定の信号として使用し、第２の送信予定の信号を、その信号が第２のＰＡ９０６によって増幅された後で送信する。
【０１５１】
本発明のこの実施形態では、特定の例を使用することによって説明している。それらの有益な効果は、前述の実施形態のものと同様であり、詳細は、本明細書では再度提供されない。
【０１５２】
本発明のこの実施形態は、送信機が２つの送信チャネルと１つのフィードバックチャネルを有する例を使用することによって説明されているが、本発明のこの実施形態は、送信機が２つ以上の送信チャネルと１つのフィードバックチャネルを含む場合にも適用可能であることに留意されたい。送信機が２つ以上の送信チャネルと１つのフィードバックチャネルを含む場合は、本発明のこの実施形態を適応的に修正することだけによって実施することができる。
【０１５３】
本発明の実施形態のいずれかにおけるフィードバックキャンセルモジュールおよび送信キャンセルモジュールは、対応するモジュールの機能を一体化する集積回路またはチップによって実装されても、メモリとプロセッサの組合せの方法で実装されてもよい。フィードバックキャンセルモジュールおよび送信キャンセルモジュールがメモリとプロセッサの組合せの方法で実装される場合、フィードバックキャンセルモジュールおよび送信キャンセルモジュールは、少なくとも１つのメモリおよびプロセッサを含み得る。メモリは、メモリに接続されたプロセッサによって呼び出され実行されるように、対応するモジュールの機能を実施することができるコンピュータ実行可能命令を記憶し得る。
【０１５４】
方法実施形態のステップのすべてまたは一部が関連のハードウェアに命令するプログラムによって実施され得ることを、当業者なら理解し得る。プログラムは、コンピュータ可読記憶媒体内に記憶され得る。プログラムが実行されたとき、方法実施形態のステップが実施される。前述の記憶媒体は、ＲＯＭ、ＲＡＭ、磁気ディスク、または光ディスクなど、プログラムコードを記憶することができる任意の媒体を含む。
【０１５５】
最後に、前述の実施形態は、本発明の技術的解決策について述べるためのものにすぎず、本発明を限定するためのものではないことに留意されたい。本発明について前述の実施形態を参照して詳細に述べられているが、当業者なら、本発明の実施形態の技術的解決策の範囲から逸脱することなしに、依然として前述の実施形態に記載の技術的解決策に対して修正を加えることも、その技術的特徴の一部またはすべてに対する均等な置き換えをなすこともあり得ることを理解されたい。
【図１】
0006475320.tif 000002
【図２】
0006475320.tif 000003
【図３】
0006475320.tif 000004
【図４】
0006475320.tif 000005
【図５】
0006475320.tif 000006
【図６】
0006475320.tif 000007
【図７】
0006475320.tif 000008
【図８】
0006475320.tif 000009
【図９】
0006475320.tif 000010
【図１０】
0006475320.tif 000011